【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
オレフィンおよび芳香族化合物をプラスチックフィードストックから製造する方法であって、
プラスチックフィードストックと前記のプラスチックフィードストックをオレフィンおよび芳香族化合物の少なくとも１つに転化するのに適した触媒組成物とを反応器内に導入し、
前記の反応器は、前記のプラスチックフィードストックおよび前記の触媒組成物を導入するための少なくとも１つの入口を有し、前記の反応器から反応生成物を取り出すための少なくとも１つの出口を有し、
前記の少なくとも１つの入口と少なくとも１つの出口との間の長さＬを有する反応器流路に沿って、前記の出口が前記の少なくとも１つの入口から離間されている、
ことと、
前記の少なくとも１つの入口またはその付近の少なくとも１つの位置において、前記の少なくとも１つの入口から０．３Ｌ以下の温度モニタリング距離で前記の反応器内の温度をモニタリングすることと、
前記の少なくとも１つの位置から得られた１つ以上のモニタリングされた温度に応じて、１つ以上のパラメータを加減することと、
前記のプラスチックフィードストックの少なくとも一部を、前記の反応器内においてオレフィンおよび芳香族化合物の少なくとも１つに転化させることと、
前記のオレフィンおよび芳香族化合物の少なくとも１つを含有する生成物ストリームを、前記の反応器の前記の少なくとも１つの出口から取り出すことと、
を含む方法。
【請求項２】
請求項１に記載の方法であって、
前記の１つ以上のパラメータが、次の（ａ）から（ｄ）、
ａ）前記の少なくとも１つの入口に導入される前記の触媒組成物、
ｂ）前記の少なくとも１つの入口への前記の触媒組成物の流量、
ｃ）前記の少なくとも１つの入口へのプラスチックフィードストックの流量、
ｄ）前記の反応器への熱入力、
の１つ以上を加減することを含むことを特徴とする方法。
【請求項３】
請求項１または２に記載の方法であって、
前記の温度をモニタリングすることが、
前記の少なくとも１つの入口またはその付近の少なくとも２つの位置において、前記の少なくとも１つの入口から０．３Ｌ以下の温度モニタリング距離で前記の反応器内の温度をモニタリングし、
前記の少なくとも２つの位置が、前記の反応器内において互いから縦方向または横方向の少なくとも１つによって離間されている、
ことを含むことを特徴とする方法。
【請求項４】
請求項１〜３のいずれか１項に記載の方法であって、
前記の温度をモニタリングすることが、
前記の少なくとも１つの入口またはその付近の少なくとも３つの位置において、前記の少なくとも１つの入口から０．３Ｌ以下の温度モニタリング距離で前記の反応器内の温度をモニタリングし、
前記の少なくとも３つの位置が前記の反応器内において互いから縦方向または横方向の少なくとも１つによって離間されている、
ことを含むことを特徴とする方法。
【請求項５】
請求項１〜４のいずれか１項に記載の方法であって、
前記の温度をモニタリングすることが、前記の少なくとも１つの入口から０．３Ｌ超の温度モニタリング距離にある少なくとも１つの他の位置において、温度をモニタリングすることを含む、
ことを特徴とする方法。
【請求項６】
請求項１〜５のいずれか１項に記載の方法であって、
前記の少なくとも１つの位置から得られた前記のモニタリングされた温度が加重され、
前記の加重された温度が所望の生成物の生成量に対して相関付けされて、前記の１つ以上のパラメータを加減するのに用いられる、
ことを特徴とする方法。
【請求項７】
オレフィンおよび芳香族化合物をプラスチックフィードストックから製造する方法であって、
プラスチックフィードストックおよび触媒組成物を反応器内に導入し、
前記の触媒組成物は流動接触分解（ＦＣＣ）触媒およびＺＳＭ‐５ゼオライト触媒を含み、
ＺＳＭ‐５ゼオライト触媒の量は前記のＦＣＣ触媒と前記のＺＳＭ‐５ゼオライト触媒との総重量のうち少なくとも１０ｗｔ％であり、
前記の反応器は、前記のプラスチックフィードストックおよび前記の触媒組成物を導入するための少なくとも１つの入口を有し、前記の反応器から反応生成物を取り出すための少なくとも１つの出口を有し、
前記の少なくとも１つの入口と少なくとも１つの出口との間の長さＬを有する反応器流路に沿って、前記の少なくとも１つの出口が前記の少なくとも１つの入口から離間されている、
ことと、
前記の少なくとも１つの入口またはその付近の少なくとも１つの位置において、前記の少なくとも１つの入口から０．３Ｌ以下の温度モニタリング距離で前記の反応器内の温度をモニタリングすることと、
前記の少なくとも１つの位置から得られた１つ以上のモニタリングされた温度に応じて、次の（ａ）から（ｄ）、
ａ）前記の少なくとも１つの入口に導入される前記の触媒組成物、
ｂ）前記の少なくとも１つの入口への前記の触媒組成物の流量、
ｃ）前記の少なくとも１つの入口へのプラスチックフィードストックの流量、および
ｄ）前記の反応器への熱入力、
の１つ以上を加減することと、
前記のプラスチックフィードストックの少なくとも一部を、前記の反応器内においてオレフィンおよび芳香族化合物の少なくとも１つに転化させることと、
前記のオレフィンおよび芳香族化合物の少なくとも１つを含有する生成物ストリームを、前記の反応器の前記の少なくとも１つの出口から取り出すことと、
を含む方法。
【請求項８】
請求項７に記載の方法であって、
前記の温度をモニタリングすることが、
前記の少なくとも１つの入口またはその付近の少なくとも２つの位置において、前記の少なくとも１つの入口から０．３Ｌ以下の温度モニタリング距離で前記の反応器内の温度をモニタリングし、
前記の少なくとも２つの位置が、前記の反応器内において互いから縦方向または横方向の少なくとも１つによって離間されている、
ことを含むことを特徴とする方法。
【請求項９】
請求項７または請求項８に記載の方法であって、
（ａ）から（ｄ）の１つ以上が加減されて、前記の少なくとも２つの位置の加重平均温度少なくとも５５０℃を維持することを特徴とする方法。
【請求項１０】
請求項７〜９のいずれか１項に記載の方法であって、
前記の温度をモニタリングすることが、
前記の少なくとも１つの入口またはその付近の少なくとも３つの位置において、前記の少なくとも１つの入口から０．３Ｌ以下の温度モニタリング距離で前記の反応器内の温度をモニタリングし、
前記の少なくとも３つの位置が、前記の反応器内において互いから縦方向または横方向の少なくとも１つによって離間されている、
ことを含むことを特徴とする方法。
【請求項１１】
請求項７〜１０のいずれか１項に記載の方法であって、
前記の温度をモニタリングすることが、前記の少なくとも１つの入口から０．３Ｌ超の温度モニタリング距離にある少なくとも１つの他の位置において、前記の温度をモニタリングすることを含むことを特徴とする方法。
【請求項１２】
請求項７〜１１のいずれか１項に記載の方法であって、
前記のプラスチックフィードストックおよび触媒組成物が、前記の少なくとも１つの入口に別々のフィードとして導入されること、又は前記のプラスチックフィードストックおよび触媒組成物が、前記の少なくとも１つの入口に１つの混合物として導入されることを特徴とする方法。
【請求項１３】
請求項７〜１２のいずれか１項に記載の方法であって、
前記の触媒組成物のＺＳＭ‐５ゼオライト触媒の量が、前記のＦＣＣ触媒と前記のＺＳＭ‐５ゼオライト触媒との総重量のうち３０ｗｔ％〜４５ｗｔ％を構成することを特徴とする方法。